(57)【要約】      （修正有）【課題】柔道転倒動作を練習するための訓練装置を開示する。【解決手段】この訓練装置１００は人間が立つ姿勢を模擬し、訓練者体重に相当する重量を有し、２つのレッグ部１１１、１１３を有する本体部分１１０と、それぞれ前記２つのレッグ部１１１、１１３に連接され、前記訓練装置１００を立たせる２つのフット部１２１、１２３とを備え、かつ前記２つのフット部１２１、１２３は前記訓練装置１００が転倒後に前記２つのフット部１２１、１２３により起き上がれるように設置される。訓練装置１００は２つのフットにより２つのレッグの立つ姿勢を保持することができ、かつ転倒後に立つ姿勢で自動的に起き上がることができ、訓練効率を大いに向上させ、かつ訓練者身体に対するよい保護を実現する。【選択図】図１
0003195751.tif 000002
【実用新案登録請求の範囲】
【請求項１】
柔道転倒動作を練習するための訓練装置（１００）であって、
人間が立つ姿勢を模擬し、訓練者体重に相当する重量を有し、
２つのレッグ部（１１１、１１３）を有する本体部分（１１０）と、
それぞれ前記２つのレッグ部（１１１、１１３）に連接され、かつそれぞれ地面と接触して前記訓練装置（１００）を立たせる２つのフット部（１２１、１２３）と
を備え、
前記２つのフット部（１２１、１２３）は、略球体を有し、上部に前記レッグ部が連接され、底部に円弧面を有し、前記訓練装置の重心は、前記略球体の球心より低く設定され、転倒した後に起き上がることができることを特徴とする訓練装置。
【請求項２】
前記訓練装置の重量は少なくとも２３ｋｇであり、前記本体部分（１１０）と前記２つのフット部（１２１、１２３）との重量の比は１：２２以下であることを特徴とする請求項１に記載の訓練装置。
【請求項３】
前記２つのフット部（１２１、１２３）および前記２つのレッグ部（１１１、１１３）は、それぞれ管状部材を有し、対応するフット部の管状部材と対応するレッグ部の管状部材が互いにスリーブ結合することにより、前記２つのフット部（１２１、１２３）が前記本体部分（１１０）に取り外し可能に連接され、前記２つのフット部(１２１、１２３)を、異なる重量のフット部と交換することにより前記訓練装置の重量を調節することができることを特徴とする請求項１に記載の訓練装置。
【請求項４】
前記２つのフット部（１２１、１２３）の管状部材および前記２つのレッグ部（１１１、１１３）の管状部材が互いにスリーブ結合する部分は少なくとも２つのボルトを用いて固定されることを特徴とする請求項３に記載の訓練装置。
【請求項５】
前記２つのフット部（１２１、１２３）は金属芯部（１２１７）および前記金属芯部を被覆する被覆部（１２２０）を有し、前記被覆部（１２２０）は弾性材料により製造されることを特徴とする請求項１〜４のいずれか１項に記載の訓練装置。
【請求項６】
前記被覆部（１２２０）の硬度はショアＡ硬度８０以上及びショアＤ硬度７０以下であることを特徴とする請求項５に記載の訓練装置。
【請求項７】
前記２つのフット部（１２１、１２３）のそれぞれは下部に位置する半球形部（１２１１）および上部に位置する円錐形部（１２１３）を含んで形成されることを特徴とする請求項１〜４のいずれか１項に記載の訓練装置。
【請求項８】
前記本体部分（１１０）は弾性骨格を有し、かつ前記弾性骨格の上を布または紙で覆われていることを特徴とする請求項１〜４のいずれか１項に記載の訓練装置。
【請求項９】
前記弾性骨格は竹のストリップ、プラスチック、または金属材料であることを特徴とする請求項８に記載の訓練装置。
【請求項１０】
前記２つのレッグ部（１１１、１１３）の間に形成される角度は１５度〜８０度であることを特徴とする請求項１〜４のいずれか１項に記載の訓練装置。
【考案の詳細な説明】
【技術分野】
【０００１】
本考案は訓練装置に関し、特に、柔道訓練装置に関する。
【背景技術】
【０００２】
柔道は人々の健康に有利な伝統的な運動である。今、ますます多くの人は柔道が好きになり、かつある機構（例えば学校）は学生の体質等を増強するために柔道課程を設置している。しかし、一般に、初心者は相手により転倒されて攻撃されることを恐れるため、訓練装置を用いて初心者に自信と興味を増加させ、基本動作を繰り返して練習することにより、関連技術と力の程度を把握することができる。従って、柔道訓練装置に対するニーズが生じる。
【０００３】
従来の技術では、ある訓練装置が存在し、例えば、文献ＣＮ２０１８３２３８９Ｕに訓練装置が開示されている。しかし、その本体の設置であっても、そのレッグ部とフット部の設置であっても、いずれの訓練装置もボクシング訓練にのみ適用できるものであり、柔道の訓練に適用することができない。その原因は、ボクシングに適用される訓練装置では、訓練装置の本体上部が、多種のボクシング動作をする必要があり、このため、多種のエア作動装置を配備しなければならない。従って、訓練装置の本体上部に、訓練装置の重量の大部分が集中し、転倒後に自動的に立ち上がる装置の軽量化を図ることが困難である。したがって、文献ＣＮ２０１８３２３８９Ｕに開示される訓練装置は柔道の訓練に適していない。
【０００４】
また、例えば、単一台座式の人型装置（例えば文献ＣＮ２４７４１９０Ｙ）が知られている。このような装置が「タンブラー」の効果を有するが、しかし、このような単一台座の装置も柔道練習に用いられず、例えば、柔道における定位転倒（この練習で、訓練者は相手の２つのフット部と接触する必要がある）等の動作の練習を行えない。また、人がこの単一台座式の人型装置の半球に近づくことは容易ではなく、その半円座平台のエッジはよく、訓練者のフット部に怪我を負わせる。
【０００５】
特に、近年、ある地方で、柔道練習による死亡または重傷の事故が発生し、柔道の練習する人または団体は、柔道練習時の安全保障や、要求を確実に満たすことができる訓練装置を望んでいる。
【考案の概要】
【考案が解決しようとする課題】
【０００６】
本考案の目的は柔道初心者の訓練に利用できる訓練装置を提供することにある。一般に、初心者は、相手により転倒されて攻撃されることを恐れるが、本考案の訓練装置を用いることにより、初心者に自信と興味を増加させ、基本動作を繰り返して練習することにより、関連技術と力の程度を把握することができる。
【課題を解決するための手段】
【０００７】
本考案による訓練装置は、柔道転倒動作を練習するための訓練装置であって、人間が立つ姿勢を模擬し、訓練者体重に相当する重量を有し；２つのレッグ部を有する本体部分と、それぞれ２つのレッグ部に連接し、かつそれぞれ地面と接触して訓練装置を立たせる２つのフット部とを備え；２つのフット部の底部に円弧面を有し、重心が円弧面が位置する円弧面の重心より低く設定され、転倒した後に自動的に起き上がる。
【０００８】
さらに、この訓練装置の重量は少なくとも２３ｋｇであり、本体部分と２つのフット部の重量との比は１：２２以下である。
【０００９】
さらに、２つのフット部及び２つのレッグ部は、それぞれ管状部材を有し、対応するフット部の管状部材及び対応するレッグ部の管状部材が互にスリーブ結合することにより、２つのフット部が本体部分に取り外し可能に連接され、２つのフット部を、重量の異なる２つのフット部と交換することによりこの訓練装置の重量を調節できる。
【００１０】
さらに、２つのフット部および２つのレッグ部の管状部材が互いにスリーブ結合する部分は少なくとも２つのボルトを用いて固定される。
【００１１】
さらに、２つのフット部は金属芯部および金属芯部を被覆する被覆部を有し、被覆部は弾性材料により製造される。
【００１２】
さらに、被覆部は金属芯部の外部でＰＵフォーミング方法により形成される。
【００１３】
さらに、被覆部の硬度はショアＡ硬度（Ｓｈｏｒｅ  Ａ  ｖａｌｕｅ）８０以上及びショアＤ硬度（Ｓｈｏｒｅ  Ｄ  ｖａｌｕｅ）７０以下である。
【００１４】
さらに、２つのフット部のそれぞれは、下部に位置する半球形部および上部に位置する円錐形部を含んでいる。
【００１５】
さらに、本体部分は弾性骨格を有し、かつ前記弾性骨格に布または紙で覆われている。
【００１６】
さらに、弾性骨格は竹のストリップ、プラスチック、または金属材料である。
【００１７】
さらに、２つのレッグ部の間の角度は１５度〜８０度である。
【００１８】
さらに、訓練装置は柔道訓練に用いられる。
【００１９】
本考案の様々な実施例により、少なくとも以下の効果の１種または複数種を実現することができる。
【考案の効果】
【００２０】
１）本考案による訓練装置は２つのフットにより２つのレッグの立つ姿勢を保持することができ、かつ転倒後に自動的に起き上がることができる。訓練装置は人間と同様に、２つのレッグを有し、これにより、人間との訓練を再現することができ、かつ訓練効率を大幅に向上させる。この訓練装置は、転倒後に元の立ち姿勢に自動的に起き上がることができ、ユーザが、打ち倒す動作を行った後に、再び訓練装置を持ち上げて起こす必要はなくなる。一方、訓練装置の重量は、一般に２５ｋｇ程度であり、重量がより小さく、かつこの訓練装置の自動起き上がり機能により、ユーザが腰を曲げて重い訓練装置を起き上がらせることによって怪我をする可能性を低減することができる。
【００２１】
従来から用いられている単一台座式人型装置（例えば文献ＣＮ２４７４１９０Ｙ）と比べると、「タンブラー」の設計原理を用いた場合、訓練装置の寸法を人間（例えば、中学生の平均身長１６５ｃｍ）と同じ高さにしたときに、訓練装置の重量は、３０ｋｇを遙かに越え、３５ｋｇ以上に達し、実際の要求（例えば、このような大きすぎる重量は中学生訓練者の実際要求を満たしにくい）を満たすことができなく、かつ転倒後に自動に起き上がる機能を実現しにくい。
【００２２】
２）本考案による訓練装置は、全体の重量を軽くすることができ（例えば約３０ｋｇ）、背が低い者または初心者の使用に有利である。
【００２３】
３）フット部の設置（例えばフット部形状の設置）は訓練者の使用に更に有利であり、かつ訓練者の怪我を防止することができる。
【００２４】
４）本考案による訓練装置のフット部は、簡単に取り外すことができ、その装着、搬送、貯蔵を便利にするだけでなく、訓練装置が更に大きな適用範囲を有するようになる。
【００２５】
図面は本明細書の一部を構成し、本考案をさらに理解するためのものである。図面は図で本考案の実施例を示し、かつ明細書を合わせて本考案の原理を説明する。図面では、同一な部品は同一な符号により示される。
【図面の簡単な説明】
【００２６】
【図１】本考案による一つの実施例の訓練装置を模式的に示す正面図である。
【図２】本考案による１つの実施例の訓練装置の１つのフット部を模式的に示す図である。
【図３】フット部の金属芯部および被覆部を模式的に示す図である。
【図４】本考案による一つの実施例の訓練装置の立つ場合を模式的に示す側面図である。
【図５】本考案による一つの実施例の訓練装置を模式的に示す側面図であり、ここで、訓練装置が転倒する時に自動に起き上がる過程を示す。
【考案を実施するための形態】
【００２７】
以下、本考案の示例的な実施例を示す図面を参照しながら本考案を更に全面的に記載する。しかし、本考案は多種の異なる形態で実施することができ、本考案の範囲は、ここに記載する例示的な実施に限られない。当然、この公開を更に全面的な、そして完全なものとし、当業者に対して充分に本考案の範囲を知らせるように、これら例示的な実施例を提供する。
【００２８】
以下、図面を参照しながら本考案を詳細に説明する。
【００２９】
図１〜２に示すように、本考案による一つの実施例の訓練装置１００は、本体部分１１０およびフット部１２０を含む。本体部分１１０は、２つのレッグ部１１１、１１３を有する。さらに、本体部分１１０は、臂部１１５、１１７および頭部１１９を有してもよく、これで人間の身体に似た形状とすることができる。
【００３０】
フット部１２０は、具体的に２つのフット部１２１、１２３を含み、この２つのフット部はそれぞれ２つのレッグ部１１１、１１３に連接され、これで人体の２つのレッグ部および２つのフット部を再現することができる。人体の２つのレッグ部および２つのフット部を再現することは、柔道の訓練では重要な意味がある。具体的には、柔道の訓練では、例えば定位転倒動作などの基本的な動作を行うため、訓練者は、人間のレッグ部およびフット部との接触を体験することにより、これら動作を練習することができる。
【００３１】
さらに、訓練装置１００は、２つのフット部１２１、１２３により立つことができ（図４に示すように）、これで訓練装置１００全体は立っている人間に見え、更に訓練者の訓練に有利である。
【００３２】
好ましくは、特に、本考案による訓練装置を柔道訓練に用いる場合には、２つのレッグ部１１１、１１３の間の角度αは１５度〜８０度であり、６０度であることがさらに好ましい。このような設定は人体測定分析（Ａｎｔｈｒｏｐｏｍｅｔｒｉｃ  Ａｎａｌｙｓｉｓ）に適合し、かつ実際の人間と柔道の訓練する時の姿勢に更に似ており、訓練者の練習に更に有利である。
【００３３】
前記のように、柔道の訓練では、通常、例えば定位転倒動作などの基本動作を訓練することがあり、これら基本動作の訓練では、通常、訓練装置を倒す。このような訓練では、従来の訓練装置（例えば文献ＣＮ２０１８３２３８９Ｕに開示される訓練装置）を用いると、訓練者は倒れた訓練装置を起こす必要があり、訓練者の訓練効率を大幅に低下させる。本考案による訓練装置１００では、２つのフット部１２１、１２３を特別に設置し、即ち、訓練装置１００が転倒後に２つのフット部１２１、１２３により自動的に起き上がることができる。
【００３４】
具体的には、訓練装置１００の重量は２つのフット部１２１、１２３に集中する。この２つのフット部１２１、１２３の底部には、円弧面が形成されており、訓練装置１００の重心は、前記円弧面の重心より低く設定され、即ちフット部１２１、１２３と地面との接触点の近くにあり、訓練装置１００は、転倒後に起き上がることができ、即ち、「タンブラー」の効果を達成する。図４は、訓練装置１００が起き上がっている時の状態を示す。訓練装置１００が倒され、例えば、図５におけるＩまたはＩＩ位置にあるとき、訓練装置は「重心が集中している」２つのフット部の作用により、図４に示す、立つ状態に向けて起き上がることができる。
【００３５】
本体部分１１０と前記２つのフット部１２１、１２３との重量の比は、直接的に変更して、訓練装置１００が転倒後に再び起き上がれる程度のモーメントとすることができ、より大きなモーメントを発生させることによって、訓練装置を傾斜後に素早く起き上がらせることができ、そのモーメントは、以下の式で表わすことができる。
モーメント・  ＝  距離ｒ  ＊  作用力Ｆ
【００３６】
モーメントを増加させるためには、フット部の重量(即ち作用力Ｆ)または訓練装置の重心と円弧面球心との距離（即ち距離ｒ）を増加させる。このため、好ましくは、この本体部分１１０の重量と、フット部１２１、１２３との重量の比は、１：２２以下であり、１：２２が好ましい。好ましくは、起き上がるための時間は、５秒以内である。例えば、フット部１２１、１２３の各々の重量は、約１１ｋｇであり、２つのフット部の重量の合計は約２２ｋｇであり、「タンブラー」の平衡効果を達成するために、好ましくは、本体部分１１０の重量は１ｋｇ未満ある。このような重量は、訓練装置全体の重心をフット部に集中させて「タンブラー」の効果を実現し、その一方で、訓練装置全体の重量を軽くすることができ、訓練装置の移動に便利である。このような訓練装置は特に中学生等の訓練者に適用される。
【００３７】
さらに、本考案による訓練装置１００の２つのフット部１２１、１２３および２つのレッグ部１１１、１１３はそれぞれ管状部材を有し、フット部およびレッグ部の管状部材が互にスリーブ結合することにより、２つのフット部１２１、１２３が取り外し可能に前記本体部分１１０に連接される。このような設置により、必要に応じてこの訓練装置に対して２つのフット部１２１、１２３を交換することができる。本体部分１１０を軽量の材料を用いて製造する必要があるため、訓練装置が転倒した時に、特に損耗しやすい。このため、２つのフット部１２１、１２３と、本体部分１１０とを取り外し可能にすることが好ましい。本体部分１１０が破損した場合、訓練者は、容易に新しい本体部分１１０に交換することができる。また、取り外し可能な連接構造により、訓練者はより軽い、またはより重いフット部１２１、１２３に交換して訓練装置１００の重量を調節することができ、異なる柔道レベルの訓練ニーズに対応できる。
【００３８】
例えば、中学生等の訓練者が使用する場合には、重量がより軽いフット部を用いることができ、体がより大きいまたは力がより強い訓練者が使用する場合には、重量がより重いフット部を用いることができる。このようにして、本考案による訓練装置は中学生等の訓練者に適用できるだけでなく、更に幅広い適用範囲を有する。また、このような設置は訓練装置の本体部分とフット部とを独立な部分に形成させ、これで訓練装置の装着、搬送、貯蔵などを便利にする。
【００３９】
図２および図３には、訓練装置１００のフット部１２０を示す。図３に模式的に示すように、フット部１２０は、金属芯部１２１７（図３では実線で示す）および金属芯部を被覆する被覆部１２２０（図３では断線で示す）を含む。金属芯部１２１７は簡単な平らな上面を有する、平面で切断した球体により形成され、球体の平面の中央に、平面から垂直に延びる支柱１２１５を設け、支柱１２１５は、被覆部１２２０の頂部から延伸し、本体部分１１０と結合（例えばネジ山による結合）されている。
【００４０】
好ましくは、被覆部１２２０は軽量な弾性材料により製造される。さらに好ましくは、被覆部１２２０はある程度の靱性を有する材料により製造される。例えば、被覆部１２２０は、金属芯部１２１０の外部にＰＵフォーミング方法で形成することができる。このように設けられた被覆部は、フット部全体の製造コストを低減することができ、また、訓練者と接触する部分に弾性をもたせることにより、硬質の材料による訓練者の体に対する怪我を防止することができる。
【００４１】
また、適当な硬度値の被覆部１２２０を選択することが重要である。訓練装置が転倒する過程で、近くにいる人が怪我をする事故の発生を減少させることができる。硬度値が低い被覆部１２２０を用いることにより、地面の摩耗（特に、柔道訓練は一般に摩耗しやすいマットまたは敷物で行われる）を低減することができる。一方、硬度値がより高い被覆部１２２０を用いた場合、訓練装置が傾斜後に素早く起き上がることができる。したがって、被覆部１２２０の好適な硬度はショアＡ硬度（Ｓｈｏｒｅ  Ａ  ｖａｌｕｅ）８０以上およびショアＤ硬度（Ｓｈｏｒｅ  Ｄ  ｖａｌｕｅ）７０以下であり、好ましくは、起き上がるための時間を５秒以内にする。
【００４２】
訓練者の訓練効率を高め、かつ硬質な材料による訓練者の怪我をさらに防止するために、２つのフット部１２１、１２３のそれぞれは、底部に位置する半球形部１２１１および上部に位置する円錐形部１２１３を含んで形成される。底部に位置する半球形部１２１１により、訓練装置１００が転倒したときに、起き上がることができる。また、上部に位置する円錐形部１２１３により、訓練装置１００が上方に向けてだんだん小さくなる形状を呈するようになるので、訓練者が訓練過程で訓練装置１００のフット部１２０と接触するのに便利であり、例えば、定位転倒等の動作を訓練する時に、訓練者のフット部が訓練装置１００のフット部１２０とさらによく接触することができるので、訓練者を一層よい模擬による訓練を実行させる一方、訓練者のフット部に対する損害を更に低減させる。
【００４３】
上述したように、本考案による訓練装置１００の重量は、主にフット部１２１、１２３に集中し、本体部分１１０の重量をできるだけ小さくし、かつ高靱性のものにするのが良い。好ましくは、本体部分１１０は弾性骨格を有し、かつ前記弾性骨格に軽量材料、例えば布または紙で覆って製造する。この弾性骨格は竹のストリップ、プラスチック、または金属材料を用いて製造することができる。好ましくは、本体部分１１０が軽量であり、強靱性であり、弾性を有する構造を用いる。軽量の構造は、本体部分１１０と前記２つのフット部１２１、１２３との重量の比を可能な限り小さくできるので、フット部１２１、１２３の金属物材料の使用を低減させ、訓練装置の製造コストを低減する一方、訓練装置の装着、搬送、貯蔵を便利にさせる。強靱性および弾性の構造を用いることにより、訓練装置が転倒する過程で、本体部分１１の損耗を低減できる。
【００４４】
本考案による訓練装置１００を柔道訓練に用いることを記述したが、本訓練装置１００はこれに限られるものではなく、例えばファイト、ボクシング等の他の身体訓練に用いることもできる。
【００４５】
上述の事項は、本考案の単なる好適な実施例であり、この本考案の範囲を限定するものではなく、当業者は、本考案について様々な修正・変更を行うことができる。本考案の精神と原則の内に作った任意の修正、置き換え、改進等は、いずれも本考案の保護範囲に含まれる。
【符号の説明】
【００４６】
１００、訓練装置
１１０、本体部分
１１１、１１３、レッグ部
１１５、１１７、臂部
１１９、頭部
１２０、１２１、１２３、フット部
１２１１、半球形部
１２１３、円錐形部
１２１５、支柱
１２１７、金属芯部
１２２０、被覆部
α、２つのレッグ部の間の角
Ｉ、ＩＩ、訓練装置の転倒位置
【図１】
0003195751.tif 000003
【図２】
0003195751.tif 000004
【図３】
0003195751.tif 000005
【図４】
0003195751.tif 000006
【図５】
0003195751.tif 000007